(57)【要約】【課題】施工性に優れた半笠木を提供すること。【解決手段】天板の幅が狭く、パラペットの一部のみを覆う半笠木であって、前記パラペットに直接固定されるホルダと、前記ホルダに嵌合されるブラケットと、前記ブラケットに嵌合される本体カバーとからなり、前記ホルダは、開口辺を上向きに配設された断面が略コ字状に形成されると共に、幅方向の前後に立設された一対の壁部にそれぞれ嵌合用楔部が形成され、前記ブラケットから垂下形成された一対の嵌合壁と嵌合し、前記ブラケットの幅方向にそれぞれ延設された嵌合片と前記本体カバーの内側に形成された嵌合突起とが嵌合するので、施工性に優れ、通常のパラペットであっても、傾斜したパラペットであってもブラケットと本体カバーを交換することで容易に取り付けることができる。【選択図】  図１
2009102932.tif 000002
【特許請求の範囲】
【請求項１】
天板の幅が狭く、パラペットの一部のみを覆う半笠木であって、前記パラペットに直接固定されるホルダと、前記ホルダに嵌合されるブラケットと、前記ブラケットに嵌合される本体カバーとからなり、前記ホルダは、開口辺を上向きに配設された断面が略コ字状に形成されると共に、幅方向の前後に立設された一対の壁部にそれぞれ嵌合用楔部が形成され、前記ブラケットから垂下形成された一対の嵌合壁と嵌合し、前記ブラケットの幅方向にそれぞれ延設された嵌合片と前記本体カバーの内側に形成された嵌合突起とが嵌合することを特徴とする半笠木。
【請求項２】
前記ブラケットは、幅方向の中央下端に一対の嵌合壁が垂下形成されており、該嵌合壁の下端近傍に嵌合用楔部が外向きに形成されており、前記ホルダに形成された嵌合用楔部と嵌合するように配設されたことを特徴とする請求項１に記載の半笠木。
【請求項３】
前記ブラケットの嵌合壁の近傍には、突起が形成されており、前記ホルダに形成された嵌合用楔部と嵌合用楔部が嵌合した際に前記壁部の頂部と当接して、ブラケットの高さ位置を規制することを特徴とする請求項１または２に記載の半笠木。
【発明の詳細な説明】
【技術分野】
【０００１】
本発明は、ビルの屋上階やベランダ等のパラペット部に取り付け、防水性の向上及び、意匠性の向上を図る笠木に関するものである。
【背景技術】
【０００２】
一般に、ビルの屋上やベランダに形成されたパラペットの上面には、ひび割れによる漏水等を防止、及び防水端部より雨水の浸入防止、外壁面の雨垂れによる汚れを防止するために笠木が取り付けられている。
しかし、従来の笠木は、パラペットの上面全体を覆うものであった。また、パラペットが傾斜している場合に、傾斜専用の笠木を使用していた。
【発明の開示】
【発明が解決しようとする課題】
【０００３】
しかし、従来の構造の笠木にあっては、パラペットの上面全体を覆うために、施工作業が煩雑であると共に、経済性に欠けるものであった。また、パラペットが傾斜している場合と、傾斜していない場合の双方に対応することができないと云う問題点が存在した。
【課題を解決するための手段】
【０００４】
前記目的を達成するために、請求項１に記載の発明は、天板の幅が狭く、パラペットの一部のみを覆う半笠木であって、前記パラペットに直接固定されるホルダと、前記ホルダに嵌合されるブラケットと、前記ブラケットに嵌合される本体カバーとからなり、前記ホルダは、開口辺を上向きに配設された断面が略コ字状に形成されると共に、幅方向の前後に立設された一対の壁部にそれぞれ嵌合用楔部が形成され、前記ブラケットから垂下形成された一対の嵌合壁と嵌合し、前記ブラケットの幅方向にそれぞれ延設された嵌合片と前記本体カバーの内側に形成された嵌合突起とが嵌合することを特徴としている。
【０００５】
また、請求項２に記載の発明において、前記ブラケットは、幅方向の中央下端に一対の嵌合壁が垂下形成されており、該嵌合壁の下端近傍に嵌合用楔部が外向きに形成されており、前記ホルダに形成された嵌合用楔部と嵌合するように配設されたことを特徴とするものである。
【０００６】
また、請求項３に記載の発明において、前記ブラケットの嵌合壁の近傍には、突起が形成されており、前記ホルダに形成された嵌合用楔部と嵌合用楔部が嵌合した際に前記壁部の頂部と当接して、ブラケットの高さ位置を規制することを特徴とするものである。
【発明の効果】
【０００７】
この発明は前記した構成からなるので、以下に説明するような効果を奏することができる。
【０００８】
請求項１に記載の発明では、天板の幅が狭く、パラペットの一部のみを覆う半笠木であって、前記パラペットに直接固定されるホルダと、前記ホルダに嵌合されるブラケットと、前記ブラケットに嵌合される本体カバーとからなり、前記ホルダは、開口辺を上向きに配設された断面が略コ字状に形成されると共に、幅方向の前後に立設された一対の壁部にそれぞれ嵌合用楔部が形成され、前記ブラケットから垂下形成された一対の嵌合壁と嵌合し、前記ブラケットの幅方向にそれぞれ延設された嵌合片と前記本体カバーの内側に形成された嵌合突起とが嵌合するので、施工性に優れ、通常のパラペットであっても、傾斜したパラペットであってもブラケットを交換することで容易に取り付けることができる。
【０００９】
また、請求項２に記載の発明において、前記ブラケットは、幅方向の中央下端に一対の嵌合壁が垂下形成されており、該嵌合壁の下端近傍に嵌合用楔部が外向きに形成されており、前記ホルダに形成された嵌合用楔部と嵌合するように配設されたので、上方向から押し込むだけで、容易にブラケットを嵌合することができる。
【００１０】
また、請求項３に記載の発明において、前記ブラケットの嵌合壁の近傍には、突起が形成されており、前記ホルダに形成された嵌合用楔部と嵌合用楔部が嵌合した際に前記壁部の頂部と当接して、ブラケットの高さ位置を規制するので、ブラケット及び本体カバーの高さ位置を精確に規制することができる。
【発明を実施するための最良の形態】
【００１１】
本発明は、パラペットの一部のみを覆う半笠木であって、パラペットに直接固定されるホルダとホルダに嵌合されるブラケットとブラケットに嵌合される本体カバーとからなり、前記ホルダの幅方向の前後に立設された一対の壁部にそれぞれ嵌合用楔部が形成され、前記ブラケットから垂下形成された一対の嵌合壁と嵌合し、前記ブラケットの幅方向にそれぞれ延設された嵌合片と前記本体カバーの内側に形成された嵌合突起とが嵌合して、容易に施工できる半笠木を実現した。
【実施例１】
【００１２】
以下、一実施の形態を示す図面に基づいて本発明を詳細に説明する。図１は本発明に係る半笠木をパラペットに取り付けた場合を示す縦断面図、図２は本発明の半笠木を構成する本体カバーを示す断面図、図３は本発明の半笠木を構成するブラケットを示す断面図、図４は本発明の半笠木を構成するホルダを示す断面図である。ここで、半笠木１０は、天板１１の幅が狭く、パラペット１２の一部のみを覆う半笠木であって、前記パラペット１２に直接固定されるホルダ１３と、前記ホルダ１３に嵌合されるブラケット１４と、前記ブラケット１４に嵌合される本体カバー１５とから構成されている。
【００１３】
ホルダ１３は、アルミニウム等の押出型材から構成された長尺部材であり、開口辺を上向きに配設された断面が略コ字状に形成されている。ホルダ１３の底面に小突起１３ａが複数形成されており、パラペット１２の取り付け面との接合性を向上している。また、ホルダ１３の幅方向の前後に一対の壁部１６、１７が立設されており、壁部のそれぞれ上端近傍に嵌合用楔部１６ａ、１７ａが形成されている。嵌合用楔部１６ａ、１７ａは、互いに対向配置されている。更に、壁部１７の外壁側には、略水平に突起１８が立設されている。
【００１４】
ブラケット１４は、アルミニウム等の押出型材から構成されており、幅方向の中央下端に一対の嵌合壁１９、２０が垂下形成されている。嵌合壁１９、２０の下端近傍には、嵌合用楔部１９ａ、２０ａが外向きに形成されており、ホルダ１３に形成された嵌合用楔部１６ａ、１７ａと嵌合するように配設されている。また、嵌合壁１９、２０の近傍には、突起２１、２２が形成されており、ホルダ１３に形成された嵌合用楔部１６ａ、１７ａと嵌合用楔部１９ａ、２０ａが嵌合した際に壁部１６、１７の頂部と当接して、ブラケット１４の高さ位置を規制することができる。例えば、嵌合用楔部１６ａ、１７ａと嵌合用楔部１９ａ、２０ａが嵌合した際に、壁部１６、１７の頂部と突起２１、２２との距離は、約１ｍｍ程度とすることができる。
【００１５】
図３に示す実施例において、ブラケット１４に形成された突起２１は、嵌合壁１９の外壁側に略水平に立設されており、突起２２は、ブラケットの下面から垂下されている。なお、突起２１、２２は、これに限ることなく嵌合された壁部１６、１７の頂部を規制する位置であれば、何れの部位であってもよい。
【００１６】
また、ブラケット１４には、ブラケットの幅方向にそれぞれ嵌合片２３、２４が延設されている。嵌合片２３は、取り付けるパラペット１２の外壁側に形成されており、ブラケット１４の上面平坦表面１４ａよりやや上に盛り上がった水平部２３ａとこの水平部に対して約１１０°で下方に折曲した折曲部２３ｂと略鉛直に形成された先端部２３ｃを有している。嵌合片２４は、取り付けるパラペット１２の内壁側に形成されており、ブラケット１４の上面平坦表面１４ａよりやや上に盛り上がった水平部２４ａとこの水平部に対して下方に折曲した折曲部２４ｂと略鉛直に形成された先端部２４ｃを有している。
【００１７】
本体カバー１５は、上面平坦部１５ａと外壁側垂下部１５ｂと内壁側垂下部１５ｃを有している。図２に示す実施例においては、上面平坦部１５ａと外壁側垂下部１５ｂとは、約８７°の角度を有して折曲形成されている。また、外壁側垂下部１５ｂは、内壁側垂下部１５ｃより寸法が長く、先端内側にジョイナー２８と係合するための係合片２５が形成されている。また、外壁側垂下部１５ｂの内側中間部には、ブラケット１４の先端部２３ｃと係合するための係合片２６が形成されている。更に、内壁側垂下部１５ｃの先端内側にジョイナー２８及びブラケット１４の先端部２４ｃと係合するための係合片２７が形成されている。
【００１８】
図５は、本発明の半笠木を構成するジョイナー２８を示す断面図である。ジョイナー２８は、長尺（例えば、２０００ｍｍ）に形成された本体カバー１５を接続するために使用されるもので、上面平坦部２８ａと外壁側垂下部２８ｂと内壁側垂下部２８ｃを有している。図５に示す実施例においては、上面平坦部２８ａと外壁側垂下部２８ｂとは、約８７°の角度を有して折曲形成されている。また、外壁側垂下部２８ｂは、内壁側垂下部２８ｃより寸法が長く、外壁側中間部には、本体カバー１５の係合片２６が収容される凹溝２９形成されている。
【００１９】
以上のように構成された本発明に係る半笠木１０の施工方法について説明する。先ず、図１に示すようにホルダ１３をアンカーボルト３０でパラペット１２の上面で外壁側寄りの所定の位置に固定する。次に、図６に示すようにホルダ１３の嵌合用楔部１６ａ、１７ａにブラケット１４の嵌合用楔部１９ａ、２０ａを嵌合する。更にその上から本体カバー１５を嵌合する。図６に示す例では、先ずブラケット１４の嵌合片２３の先端部２３ｃを本体カバー１５の係合片２６に係合し、それから本体カバー１５の内壁側垂下部１５ｃを嵌合片２４に沿って下降させ、ブラケット１４の先端部２４ｃと係合片２７を係合させる。このようにして、パラペット１２にホルダ１３、ブラケット１４，本体カバー１５を順次取り付けることができる。また、長尺の本体カバー１５は、ジョイナー２８によって所望の長さに接続することができる。
【００２０】
また、他の半笠木の他の装着手順として図７に示すように、パラペット１２に固定されたホルダ１３にブラケット１４を嵌合させた後、本体カバー１５の上面平坦部１５ａをほぼ水平にして、ブラケット１４の上方から嵌合する。嵌合片２３、２４は適度な可撓性を有しており、本体カバー１５を上方から押し込むと、一旦、撓んだ後再度元の幅に復帰して、ブラケット１４と本体カバー１５が嵌合する。
【００２１】
図８は、本発明の半笠木にシーリング材を設置した例を示す縦断面図である。本実施例において、ホルダ１３の壁部１７の外壁側に突起１８が形成されており、この突起１８とパラペット１２の上面との間にシーリング材３１が配設されている。このように構成した場合、パラペット１２部の止水性を向上させることができる。
【００２２】
図９は、本発明の半笠木の他の実施例を示す縦断面図である。本実施例において、パラペット９０の外側９０ａが４５度で傾斜している場合に設置可能な半笠木について説明する。本実施例において、ホルダ１３は前述した実施例と同様であるが、ブラケット９１は外壁側側の嵌合片９３の水平寸法が長く形成されている。また、本体カバー９２もブラケット９１に合わせて水平寸法が長く形成する。
【００２３】
嵌合片９３は、外壁側に形成されており、ブラケット９１の上面平坦表面９１ａよりやや上に盛り上がった水平部９３ａとこの水平部に対して約１１０°で下方に折曲した折曲部９３ｂと略鉛直に形成された先端部９３ｃを有している。また、本体カバー９２も前述のようにブラケット９１に合わせて水平寸法が長く形成されている。
【００２４】
以上のように構成した場合、半笠木であってもブラケット９１及び本体カバー９２を交換するのみで、パラペットの傾斜部を充分に収納することができ、施工性の向上を図ることができる。
【００２５】
なお、本発明は上述の実施例に限定されることなく、特許請求の範囲の記載に基づいて種々の設計変更が可能である。
【図面の簡単な説明】
【００２６】
【図１】図１は、本発明に係る半笠木をパラペットに取り付けた場合を示す縦断面図である。
【図２】図２は、同半笠木を構成する本体カバーを示す断面図である。
【図３】図３は、同半笠木を構成するブラケットを示す断面図である。
【図４】図４は、同半笠木を構成するホルダを示す断面図である。
【図５】図５は、同半笠木を構成するジョイナーを示す断面図である。
【図６】図６は、同半笠木の装着手順を示す説明図である。
【図７】図７は、同半笠木の他の装着手順を示す説明図である。
【図８】図８は、同半笠木にシーリング材を設置した例を示す縦断面図である。
【図９】図９は、同半笠木の他の実施例を示す縦断面図である。
【図１０】図１０は、同半笠木の装着手順を示す説明図である。
【符号の説明】
【００２７】
１０      半笠木
１１      天板
１２      パラペット
１３      ホルダ
１４      ブラケット
１４ａ    上面平坦表面
１５      本体カバー
１６、１７  壁部
１６ａ、１７ａ  嵌合用楔部
１８      突起
１９、２０  嵌合壁
２１      突起
２２      突起
２３      嵌合片
２４      嵌合片
２５      係合片
２６      係合片
２７      係合片
２８      ジョイナー
２９      凹溝
３０      アンカーボルト
３１      シーリング材
【図１】
2009102932.tif 000003
【図２】
2009102932.tif 000004
【図３】
2009102932.tif 000005
【図４】
2009102932.tif 000006
【図５】
2009102932.tif 000007
【図６】
2009102932.tif 000008
【図７】
2009102932.tif 000009
【図８】
2009102932.tif 000010
【図９】
2009102932.tif 000011
【図１０】
2009102932.tif 000012